【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
第1及び第２の走査線と、
第1及び第２の信号線と、
前記第1及び第２の走査線と前記第1及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面より高く形成された第１の面とを有し、
前記第１の面は前記対向電極と面し、前記第１及び第２の走査線に沿って設けられていることを特徴とする液晶表示装置。
【請求項２】
第１及び第２の走査線と、
第１及び第２の信号線と、
前記第１及び第２の走査線と前記第１及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面を囲んで設けられた枠状の端部とを有し、
前記枠状の端部は、第１の端部、第２の端部、第３の端部及び第４の端部とからなり、
前記第１の端部は、前記第１の走査線に沿って設けられ、
前記第３の端部は、前記第１の走査線と隣接する前記第２の走査線に沿って設けられ、
前記第２の端部は、前記第１の信号線に沿って前記第１の端部と前記第３の端部との間に設けられ、
前記第４の端部は、前記第１の信号線と隣接する前記第２の信号線に沿って前記第１の端部と前記第３の端部との間に設けられ、
前記第２の端部及び前記第４の端部は前記平坦面と同一の高さに設けられ、前記第１の端部及び前記第３の端部は前記平坦面より高く設けられることを特徴とする液晶表示装置。
【請求項３】
第１及び第２の走査線と、
第１及び第２の信号線と、
前記第１及び第２の走査線と前記第１及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面より高く形成した第１の面と、前記第１の面より高く形成した第２の面とを有し、
前記第１の面及び前記第２の面は、前記対向電極と面しており、
前記第１の面は、前記第１及び第２の走査線に沿って設けられ、
前記第２の面は、前記第１の面の両端に設けられていることを特徴とする液晶表示装置。
【請求項４】
第１及び第２の走査線と、
第１及び第２の信号線と、
前記第１及び第２の走査線と前記第１及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部は、前記第１の走査線に沿って設けられ、
前記第３の端部は、前記第１の走査線と隣接する前記第２の走査線に沿って設けられ、
前記第２の端部は、前記第１の信号線に沿って前記第１の端部と前記第３の端部との間に設けられ、
前記第４の端部は、前記第１の信号線に隣接する前記第２の信号線に沿って前記第１の端部と前記第３の端部との間に設けられ、
前記第２の端部及び前記第４の端部は前記平坦面と同一の高さに設けられ、
前記第１の端部及び前記第３の端部は前記平坦面より高く設けられ、
前記第１の端部のうち、前記第１の端部の両端は、前記第１の端部の中央より高く設けられ、
前記第３の端部のうち、前記第３の端部の両端は、前記第３の端部の中央より高く設けられていることを特徴とする液晶表示装置。
【請求項５】
複数の走査線と、
複数の信号線と、
前記走査線と前記信号線とに囲まれた部分にそれぞれ設けられた第１及び第２の画素電極と、
前記第１及び第２の画素電極の上方に設けられた対向電極を有する液晶表示装置であって、
前記各画素電極は、前記各画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部及び前記第３の端部は、前記走査線に沿って設けられ、
前記第２の端部及び前記第４の端部は、前記信号線に沿って前記第１の端部と前記第３の端部との間に設けられ、
前記第２の端部及び前記第４の端部は、前記平坦面と同一の高さに設けられ、
前記第１の端部及び前記第３の端部は、前記平坦面より高く設けられ、
前記第１の画素電極が有する前記第２の端部と、前記第２の画素電極が有する前記第４の端部とは隣接し、
前記第１の画素電極と前記第２の画素電極は隣接して設けられており、
前記第１の画素電極と前記第２の画素電極との間隔が２．０μｍ以下であることを特徴とする液晶表示装置。
【請求項６】
複数の走査線と、
複数の信号線と、
前記走査線と前記信号線とに囲まれた部分にそれぞれ設けられた第１及び第２の画素電極と、
前記第１及び第２の画素電極の上方に設けられた対向電極を有する液晶表示装置であって、
前記各画素電極は、前記各画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部及び前記第３の端部は、前記走査線に沿って設けられ、
前記第２の端部及び前記第４の端部は、前記信号線に沿って前記第１の端部と前記第３の端部との間に設けられ、
前記第２の端部及び前記第４の端部は、前記平坦面と同一の高さに設けられ、
前記第１の端部及び前記第３の端部は、前記平坦面より高く設けられ、
前記第１の端部のうち、前記第１の端部の両端は、前記第１の端部の中央より高く設けられ、
前記第３の端部のうち、前記第３の端部の両端は、前記第３の端部の中央より高く設けられ、
前記第１の画素電極と前記第２の画素電極は隣接して設けられており、
前記第１の画素電極と前記第２の画素電極との間隔が２．０μｍ以下であることを特徴とする液晶表示装置。
【請求項７】
複数の走査線と、
複数の信号線と、
前記走査線と前記信号線とに囲まれた部分にそれぞれ設けられた第１及び第２の画素電極と、
前記第１及び第２の画素電極の上方に設けられた対向電極を有する液晶表示装置であって、
前記各画素電極は、前記各画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部及び前記第３の端部は、前記走査線に沿って設けられ、
前記第２の端部及び前記第４の端部は、前記信号線に沿って前記第１の端部と前記第３の端部との間に設けられ、
前記第２の端部及び前記第４の端部は前記平坦面と同一の高さに設けられ、
前記第１の端部及び前記第３の端部は前記平坦面より高く設けられ、
前記第１の端部のうち、前記第１の端部の両端は、前記第１の端部の中央より高く設けられ、
前記第３の端部のうち、前記第３の端部の両端は、前記第３の端部の中央より高く設けられ、
前記第１の画素電極及び前記第２の画素電極の前記第１の端部及び前記第３の端部は前記平坦面より０．５μｍ以上高く形成され、
前記対向電極表面と前記第１の画素電極及び前記第２の画素電極の前記平坦面との間隔が４．５μｍ以下であり、
前記第１の画素電極と前記第２の画素電極は隣接して設けられており、
前記第１の画素電極と前記第２の画素電極との間隔が４．０μｍ以下であり、
前記第１の画素電極及び前記第２の画素電極の前記第１の端部及び前記第３の端部の幅が３．０μｍ以下であることを特徴とする液晶表示装置。
【請求項８】
請求項１乃至請求項７のいずれか一項において、前記液晶表示装置は、ゲートライン反転駆動を行う液晶表示装置であることを特徴とする液晶表示装置。
【請求項９】
第1及び第２の走査線と、
第1及び第２の信号線と、
前記第1及び第２の走査線と前記第1及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面より高く形成された第１の面とを有し、
前記第１の面は前記対向電極と面し、前記第１及び第２の信号線に沿って設けられていることを特徴とする液晶表示装置。
【請求項１０】
第１及び第２の走査線と、
第１及び第２の信号線と、
前記第１及び第２の走査線と前記第１及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面を囲んで設けられた枠状の端部とを有し、
前記枠状の端部は、第１の端部、第２の端部、第３の端部及び第４の端部とからなり、
前記第１の端部は、前記第１の信号線に沿って設けられ、
前記第３の端部は、前記第１の信号線と隣接する前記第２の信号線に沿って設けられ、
前記第２の端部は、前記第１の走査線に沿って前記第１の端部と前記第３の端部との間に設けられ、
前記第４の端部は、前記第１の走査線と隣接する前記第２の走査線に沿って前記第１の端部と前記第３の端部との間に設けられ、
前記第２の端部及び前記第４の端部は、前記平坦面と同一の高さに設けられ、前記第１の端部及び前記第３の端部は、前記平坦面より高く設けられることを特徴とする液晶表示装置。
【請求項１１】
第１及び第２の走査線と、
第１及び第２の信号線と、
前記第１及び第２の走査線と前記第１及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面より高く形成した第１の面と、前記第１の面より高く形成した第２の面とを有し、
前記第１の面及び前記第２の面は、前記対向電極と面しており、
前記第１の面は、前記第１及び第２の信号線に沿って設けられ、
前記第２の面は前記第１の面の両端に設けられていることを特徴とする液晶表示装置。
【請求項１２】
第１及び第２の走査線と、
第１及び第２の信号線と、
前記第１及び第２の走査線と前記第１及び第２の信号線とに囲まれた部分に設けられた画素電極と、
前記画素電極の上方に設けられた対向電極を有する液晶表示装置であって、
前記画素電極は、前記画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部は、前記第１の信号線に沿って設けられ、
前記第３の端部は、前記第１の信号線と隣接する前記第２の信号線に沿って設けられ、
前記第２の端部は、前記第１の走査線に沿って前記第１の端部と前記第３の端部との間に設けられ、
前記第４の端部は、前記第１の走査線に隣接する前記第２の走査線に沿って前記第１の端部と前記第３の端部との間に設けられ、
前記第２の端部及び前記第４の端部は、前記平坦面と同一の高さに設けられ、
前記第１の端部及び前記第３の端部は前記平坦面より高く設けられ、
前記第１の端部のうち、前記第１の端部の両端は、前記第１の端部の中央より高く設けられ、
前記第３の端部のうち、前記第３の端部の両端は、前記第３の端部の中央より高く設けられていることを特徴とする液晶表示装置。
【請求項１３】
複数の走査線と、
複数の信号線と、
前記走査線と前記信号線とに囲まれた部分にそれぞれ設けられた第１及び第２の画素電極と、
前記第１及び第２の画素電極の上方に設けられた対向電極を有する液晶表示装置であって、
前記各画素電極は、前記各画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部及び前記第３の端部は、前記信号線に沿って設けられ、
前記第２の端部及び前記第４の端部は前記走査線に沿って前記第１の端部と前記第３の端部との間に設けられ、
前記第２の端部及び前記第４の端部は前記平坦面と同一の高さに設けられ、
前記第１の端部及び前記第３の端部は前記平坦面より高く設けられ、
前記第１の画素電極が有する前記第２の端部と、前記第２の画素電極が有する前記第４の端部とは隣接し、
前記第１の画素電極と前記第２の画素電極は隣接して設けられており、
前記第１の画素電極と前記第２の画素電極との間隔が２．０μｍ以下であることを特徴とする液晶表示装置。
【請求項１４】
複数の走査線と、
複数の信号線と、
前記走査線と前記信号線とに囲まれた部分にそれぞれ設けられた第１及び第２の画素電極と、
前記第１及び第２の画素電極の上方に設けられた対向電極を有する液晶表示装置であって、
前記各画素電極は、前記各画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部及び前記第３の端部は、前記信号線に沿って設けられ、
前記第２の端部及び前記第４の端部は前記走査線に沿って前記第１の端部と前記第３の端部との間に設けられ、
前記第２の端部及び前記第４の端部は前記平坦面と同一の高さに設けられ、
前記第１の端部及び前記第３の端部は前記平坦面より高く設けられ、
前記第１の端部のうち、前記第１の端部の両端は、前記第１の端部の中央より高く設けられ、
前記第３の端部のうち、前記第３の端部の両端は、前記第３の端部の中央より高く設けられ、
前記第１の画素電極が有する前記第２の端部と、前記第２の画素電極が有する前記第４の端部とは隣接し、
前記第１の画素電極と前記第２の画素電極は隣接して設けられており、
前記第１の画素電極と前記第２の画素電極との間隔が２．０μｍ以下であることを特徴とする液晶表示装置。
【請求項１５】
複数の走査線と、
複数の信号線と、
前記走査線と前記信号線とに囲まれた部分にそれぞれ設けられた第１及び第２の画素電極と、
前記第１及び第２の画素電極の上方に設けられた対向電極を有する液晶表示装置であって、
前記各画素電極は、前記各画素電極の最大の面積を占める平坦面と、前記平坦面を囲んで設けられた枠状の端部を有し、
前記枠状の端部は第１の端部、第２の端部、第３の端部及び第４の端部とからなり、
前記第１の端部及び前記第３の端部は、前記信号線に沿って設けられ、
前記第２の端部及び前記第４の端部は前記走査線に沿って前記第１の端部と前記第３の端部との間に設けられ、
前記第２の端部及び前記第４の端部は、前記平坦面と同一の高さに設けられ、
前記第１の端部及び前記第３の端部は、前記平坦面より高く設けられ、
前記第１の端部のうち、前記第１の端部の両端は、前記第１の端部の中央より高く設けられ、
前記第３の端部のうち、前記第３の端部の両端は、前記第３の端部の中央より高く設けられ、
前記第１の画素電極及び前記第２の画素電極の前記第１の端部及び前記第３の端部は前記平坦面より０．５μｍ以上高く形成され、
前記対向電極表面と前記第１の画素電極及び前記第２の画素電極の前記平坦面との間隔が４．５μｍ以下であり、
前記第１の画素電極と前記第２の画素電極は隣接して設けられており、
前記第１の画素電極と前記第２の画素電極との間隔が４．０μｍ以下であり、
前記第１の画素電極及び前記第２の画素電極の前記第１の端部及び前記第３の端部の幅が３．０μｍ以下であることを特徴とする液晶表示装置。
【請求項１６】
請求項９乃至請求項１５のいずれか一項において、前記液晶表示装置は、ソースライン反転駆動を行う液晶表示装置であることを特徴とする液晶表示装置。
【請求項１７】
請求項４乃至請求項７または請求項１２乃至請求項１５のいずれか一項において、前記第１の端部の両端部は、前記第１の端部の中央部より０．２μｍ以上高く形成され、
前記第３の端部の両端部は、前記第３の端部の中央部より０．２μｍ以上高く形成されていることを特徴とする液晶表示装置。
【請求項１８】
請求項４乃至請求項７または請求項１２乃至請求項１５のいずれか一項において、前記第１の端部の両端部は、前記第１の端部の中央部より０．５μｍ以上高く形成され、
前記第３の端部の両端部は、前記第３の端部の中央部より０．５μｍ以上高く形成されていることを特徴とする液晶表示装置。
【請求項１９】
絶縁表面を有する基板と、
前記基板上に形成された走査線と、
前記走査線を覆う様に形成された第１の絶縁膜と、
前記第１の絶縁膜上に形成された半導体層と、
前記半導体層を覆う様に形成されたゲート絶縁膜と、
前記ゲート絶縁膜上に形成されたゲート電極と、
前記ゲート電極の上方に形成された第１の層間絶縁膜と、
前記第１の層間絶縁膜上に形成され前記半導体層と電気的に接続された信号線と、
前記信号線を覆う様に形成された第２の層間絶縁膜と、
前記第２の層間絶縁膜上に形成された遮光膜と、
前記遮光膜を覆う様に形成された第２の絶縁膜と、
前記第２の絶縁膜上に感光性樹脂膜によって形成された凸部とを有し、
前記画素電極は、前記凸部を覆う様に形成されていることを特徴とする請求項１乃至請求項１８のいずれか一項に記載の液晶表示装置。